(57)【要約】【課題】印刷で利用される予め穿孔処理が施されているシートに対して不用意に加工処理が行われないようにする。【解決手段】予め穿孔処理が施されているシートを含む複数種類のシートを印刷手段による印刷で利用可能にし、シートに対する加工処理を実行可能な処理手段により加工処理を実行させるユーザ要求が、印刷を実行させるユーザ要求の入力に先立って、操作手段を介して入力された場合に、前記印刷手段による印刷で利用されるシートに対して加工処理を実行可能にした、画像形成システムで、印刷を実行させるユーザ要求の入力に先立って、加工処理を実行させるユーザ要求が操作手段を介して入力された場合でも、印刷手段による印刷で、予め穿孔処理が施されているシートを要する場合に、当該シートに対する加工処理の実行を禁止する。【選択図】図１１
2007261278.tif 000002
【特許請求の範囲】
【請求項１】
予め穿孔処理が施されているシートを含む複数種類のシートを印刷手段による印刷で利用可能にし、
シートに対する加工処理を実行可能な処理手段により前記加工処理を実行させるユーザ要求が、前記印刷手段による印刷を実行させるユーザ要求の入力に先立って、操作手段を介して入力された場合に、前記印刷手段による印刷で利用されるシートに対して前記加工処理を前記処理手段により実行可能にした、
画像形成システムであって、
前記印刷手段による印刷を実行させるユーザ要求の入力に先立って、前記処理手段による前記加工処理を実行させるユーザ要求が前記操作手段を介して入力された場合でも、
前記印刷手段による印刷で、前記予め穿孔処理が施されているシートを要する場合に、
前記処理手段による当該シートに対する前記加工処理の実行を禁止する、制御手段を有することを特徴とする画像形成システム。
【請求項２】
予め穿孔処理が施されているシートを含む複数種類のシートを印刷手段による印刷で利用可能にし、
シートに対する加工処理を実行可能な処理手段により前記加工処理を実行させるユーザ要求が、前記印刷手段による印刷を実行させるユーザ要求の入力に先立って、操作手段を介して入力された場合に、前記印刷手段による印刷で利用されるシートに対して前記加工処理を前記処理手段により実行可能にした、
画像形成システムであって、
前記印刷手段による印刷を実行させるユーザ要求の入力に先立って、前記処理手段による前記加工処理を実行させるユーザ要求が前記操作手段を介して入力された場合でも、
前記印刷手段による印刷で、前記予め穿孔処理が施されているシートを要する場合に、
前記印刷手段による印刷に先立って前記操作手段による警告表示を実行させる、制御手段を有することを特徴とする画像形成システム。
【請求項３】
予め穿孔処理が施されているシートを含む複数種類のシートを印刷手段による印刷で利用可能にし、
シートに対する穿孔処理を実行可能な処理手段により前記穿孔処理を実行させるユーザ要求が、前記印刷手段による印刷を実行させるユーザ要求の入力に先立って、操作手段を介して入力された場合に、前記印刷手段による印刷で利用されるシートに対して前記穿孔処理を前記処理手段により実行可能にした、
画像形成システムであって、
前記印刷手段による印刷を実行させるユーザ要求の入力に先立って、前記処理手段による前記穿孔処理を実行させるユーザ要求が前記操作手段を介して入力された場合でも、
前記印刷手段による印刷で、前記予め穿孔処理が施されているシートを要する場合に、
前記処理手段による当該シートに対する前記穿孔処理の実行を禁止する、制御手段を有することを特徴とする画像形成システム。
【請求項４】
予め穿孔処理が施されているシートを含む複数種類のシートを印刷手段による印刷で利用可能にし、
シートに対する穿孔処理を実行可能な処理手段により前記穿孔処理を実行させるユーザ要求が、前記印刷手段による印刷を実行させるユーザ要求の入力に先立って、操作手段を介して入力された場合に、前記印刷手段による印刷で利用されるシートに対して前記穿孔処理を前記処理手段により実行可能にした、
画像形成システムであって、
前記印刷手段による印刷を実行させるユーザ要求の入力に先立って、前記処理手段による前記穿孔処理を実行させるユーザ要求が前記操作手段を介して入力された場合でも、
前記印刷手段による印刷で、前記予め穿孔処理が施されているシートを要する場合に、
前記印刷手段による印刷に先立って前記操作手段による警告表示を実行させる、制御手段を有することを特徴とする画像形成システム。
【請求項５】
予め穿孔処理が施されているシートを含む複数種類のシートを印刷手段による印刷で利用可能にし、
シートに対するステイプル処理を実行可能な処理手段により前記ステイプル処理を実行させるユーザ要求が、前記印刷手段による印刷を実行させるユーザ要求の入力に先立って、操作手段を介して入力された場合に、前記印刷手段による印刷で利用されるシートに対して前記ステイプル処理を前記処理手段により実行可能にした、
画像形成システムであって、
前記印刷手段による印刷を実行させるユーザ要求の入力に先立って、前記処理手段による前記ステイプル処理を実行させるユーザ要求が前記操作手段を介して入力された場合でも、
前記印刷手段による印刷で、前記予め穿孔処理が施されているシートを要する場合に、
前記処理手段による当該シートに対する前記ステイプル処理の実行を禁止する、制御手段を有することを特徴とする画像形成システム。
【請求項６】
予め穿孔処理が施されているシートを含む複数種類のシートを印刷手段による印刷で利用可能にし、
シートに対するステイプル処理を実行可能な処理手段により前記ステイプル処理を実行させるユーザ要求が、前記印刷手段による印刷を実行させるユーザ要求の入力に先立って、操作手段を介して入力された場合に、前記印刷手段による印刷で利用されるシートに対して前記ステイプル処理を前記処理手段により実行可能にした、
画像形成システムであって、
前記印刷手段による印刷を実行させるユーザ要求の入力に先立って、前記処理手段による前記ステイプル処理を実行させるユーザ要求が前記操作手段を介して入力された場合でも、
前記印刷手段による印刷で、前記予め穿孔処理が施されているシートを要する場合に、
前記印刷手段による印刷に先立って前記操作手段による警告表示を実行させる、制御手段を有することを特徴とする画像形成システム。
【請求項７】
請求項１乃至６の何れかに記載の画像形成システムであって、
前記制御手段は、
前記印刷手段による印刷で利用可能な複数種類のシートの選択候補の中から何れかのシートをユーザが選択できるように構成された表示画面を、前記操作手段に表示させ、
前記表示画面を介してユーザにより選択されたシートを用いて前記印刷手段による印刷を実行させることを特徴とする画像形成システム。
【請求項８】
請求項１乃至７の何れかに記載の画像形成システムであって、
前記操作手段は、前記印刷手段を有する画像形成装置に具備されることを特徴とする画像形成システム。
【請求項９】
請求項１乃至８の何れかに記載の画像形成システムであって、
前記操作手段は、前記印刷手段を有する画像形成装置とデータ通信可能な外部装置に具備されることを特徴とする画像形成システム。
【請求項１０】
請求項１乃至９の何れかに記載の画像形成システムであって、
前記制御手段は、
前記印刷手段を具備する画像形成装置に具備される原稿読取手段によって読取処理が行われる原稿の画像データの印刷に要するシートが、前記予め穿孔処理が施されているシートである場合に、
前記印刷手段による印刷を実行させるユーザ要求の入力に先立って、前記処理手段によってステイプル処理および穿孔処理の何れかの加工処理を実行させるユーザ要求が前記操作手段を介して入力された場合でも、
当該シートに対する前記処理手段による当該加工処理の実行を禁止する、
ことを特徴とする画像形成システム。
【請求項１１】
請求項１乃至１０の何れかに記載の画像形成システムであって、
前記制御手段は、
前記印刷手段を具備する画像形成装置とデータ通信可能な外部装置から出力される画像データの印刷に要するシートが、前記予め穿孔処理が施されているシートである場合に、
前記印刷手段による印刷を実行させるユーザ要求の入力に先立って、前記処理手段によってステイプル処理および穿孔処理の何れかの加工処理を実行させるユーザ要求が前記操作手段を介して入力された場合でも、
当該シートに対する前記処理手段による当該加工処理の実行を禁止する、
ことを特徴とする画像形成システム。
【請求項１２】
請求項１乃至１１の何れかに記載の画像形成システムであって、
前記制御手段は、
前記印刷手段を具備する画像形成装置に具備される原稿読取手段によって読取処理が行われる原稿の画像データの印刷に要するシートが、前記予め穿孔処理が施されているシートである場合に、
前記印刷手段による印刷を実行させるユーザ要求の入力に先立って、前記処理手段によってステイプル処理および穿孔処理の何れかの加工処理を実行させるユーザ要求が前記操作手段を介して入力された場合でも、
前記印刷手段による印刷に先立って前記操作手段による警告表示を実行させる、
ことを特徴とする画像形成システム。
【請求項１３】
請求項１乃至１２の何れかに記載の画像形成システムであって、
前記制御手段は、
前記印刷手段を具備する画像形成装置とデータ通信可能な外部装置から出力される画像データの印刷に要するシートが、前記予め穿孔処理が施されているシートである場合に、
前記印刷手段による印刷を実行させるユーザ要求の入力に先立って、前記処理手段によってステイプル処理および穿孔処理の何れかの加工処理を実行させるユーザ要求が前記操作手段を介して入力された場合でも、
前記印刷手段による印刷に先立って前記操作手段による警告表示を実行させる、
ことを特徴とする画像形成システム。
【請求項１４】
予め穿孔処理が施されているシートを含む複数種類のシートを印刷手段による印刷で利用可能にし、
シートに対する加工処理を実行可能な処理手段により前記加工処理を実行させるユーザ要求が、前記印刷手段による印刷を実行させるユーザ要求の入力に先立って、操作手段を介して入力された場合に、前記印刷手段による印刷で利用されるシートに対して前記加工処理を前記処理手段により実行可能にした、
画像形成システムの制御方法であって、
前記制御方法は、
前記印刷手段による印刷を実行させるユーザ要求の入力に先立って、前記処理手段による前記加工処理を実行させるユーザ要求が前記操作手段を介して入力された場合でも、
前記印刷手段による印刷で、前記予め穿孔処理が施されているシートを要する場合に、
前記処理手段による当該シートに対する前記加工処理の実行を禁止する、制御手段を有することを特徴とする制御方法。
【請求項１５】
予め穿孔処理が施されているシートを含む複数種類のシートを印刷手段による印刷で利用可能にし、
シートに対する加工処理を実行可能な処理手段により前記加工処理を実行させるユーザ要求が、前記印刷手段による印刷を実行させるユーザ要求の入力に先立って、操作手段を介して入力された場合に、前記印刷手段による印刷で利用されるシートに対して前記加工処理を前記処理手段により実行可能にした、
画像形成システムの制御方法であって、
前記制御方法は、
前記印刷手段による印刷を実行させるユーザ要求の入力に先立って、前記処理手段による前記加工処理を実行させるユーザ要求が前記操作手段を介して入力された場合でも、
前記印刷手段による印刷で、前記予め穿孔処理が施されているシートを要する場合に、
前記印刷手段による印刷に先立って前記操作手段による警告表示を実行させる、制御手段を有することを特徴とする制御方法。
【請求項１６】
予め穿孔処理が施されているシートを含む複数種類のシートを印刷手段による印刷で利用可能にし、
シートに対する穿孔処理を実行可能な処理手段により前記穿孔処理を実行させるユーザ要求が、前記印刷手段による印刷を実行させるユーザ要求の入力に先立って、操作手段を介して入力された場合に、前記印刷手段による印刷で利用されるシートに対して前記穿孔処理を前記処理手段により実行可能にした、
画像形成システムの制御方法であって、
前記制御方法は、
前記印刷手段による印刷を実行させるユーザ要求の入力に先立って、前記処理手段による前記穿孔処理を実行させるユーザ要求が前記操作手段を介して入力された場合でも、
前記印刷手段による印刷で、前記予め穿孔処理が施されているシートを要する場合に、
前記処理手段による当該シートに対する前記穿孔処理の実行を禁止する、制御手段を有することを特徴とする制御方法。
【請求項１７】
予め穿孔処理が施されているシートを含む複数種類のシートを印刷手段による印刷で利用可能にし、
シートに対する穿孔処理を実行可能な処理手段により前記穿孔処理を実行させるユーザ要求が、前記印刷手段による印刷を実行させるユーザ要求の入力に先立って、操作手段を介して入力された場合に、前記印刷手段による印刷で利用されるシートに対して前記穿孔処理を前記処理手段により実行可能にした、
画像形成システムの制御方法であって、
前記制御方法は、
前記印刷手段による印刷を実行させるユーザ要求の入力に先立って、前記処理手段による前記穿孔処理を実行させるユーザ要求が前記操作手段を介して入力された場合でも、
前記印刷手段による印刷で、前記予め穿孔処理が施されているシートを要する場合に、
前記印刷手段による印刷に先立って前記操作手段による警告表示を実行させる、制御手段を有することを特徴とする制御方法。
【請求項１８】
予め穿孔処理が施されているシートを含む複数種類のシートを印刷手段による印刷で利用可能にし、
シートに対するステイプル処理を実行可能な処理手段により前記ステイプル処理を実行させるユーザ要求が、前記印刷手段による印刷を実行させるユーザ要求の入力に先立って、操作手段を介して入力された場合に、前記印刷手段による印刷で利用されるシートに対して前記ステイプル処理を前記処理手段により実行可能にした、
画像形成システムの制御方法であって、
前記制御方法は、
前記印刷手段による印刷を実行させるユーザ要求の入力に先立って、前記処理手段による前記ステイプル処理を実行させるユーザ要求が前記操作手段を介して入力された場合でも、
前記印刷手段による印刷で、前記予め穿孔処理が施されているシートを要する場合に、
前記処理手段による当該シートに対する前記ステイプル処理の実行を禁止する、制御手段を有することを特徴とする制御方法。
【請求項１９】
予め穿孔処理が施されているシートを含む複数種類のシートを印刷手段による印刷で利用可能にし、
シートに対するステイプル処理を実行可能な処理手段により前記ステイプル処理を実行させるユーザ要求が、前記印刷手段による印刷を実行させるユーザ要求の入力に先立って、操作手段を介して入力された場合に、前記印刷手段による印刷で利用されるシートに対して前記ステイプル処理を前記処理手段により実行可能にした、
画像形成システムの制御方法であって、
前記制御方法は、
前記印刷手段による印刷を実行させるユーザ要求の入力に先立って、前記処理手段による前記ステイプル処理を実行させるユーザ要求が前記操作手段を介して入力された場合でも、
前記印刷手段による印刷で、前記予め穿孔処理が施されているシートを要する場合に、
前記印刷手段による印刷に先立って前記操作手段による警告表示を実行させる、制御手段を有することを特徴とする制御方法。
【請求項２０】
請求項１４乃至１９の何れかに記載の制御方法であって、
前記制御方法は、
前記印刷手段による印刷で利用可能な複数種類のシートの選択候補の中から何れかのシートをユーザが選択できるように構成された表示画面を、前記操作手段に表示させ、
前記表示画面を介してユーザにより選択されたシートを用いて前記印刷手段による印刷を実行させることを特徴とする制御方法。
【請求項２１】
請求項１４乃至２０の何れかに記載の制御方法であって、
前記操作手段は、前記印刷手段を有する画像形成装置に具備されることを特徴とする制御方法。
【請求項２２】
請求項１４乃至２１の何れかに記載の制御方法であって、
前記操作手段は、前記印刷手段を有する画像形成装置とデータ通信可能な外部装置に具備されることを特徴とする制御方法。
【請求項２３】
請求項１４乃至２２の何れかに記載の制御方法であって、
前記制御方法は、
前記印刷手段を具備する画像形成装置に具備される原稿読取手段によって読取処理が行われる原稿の画像データの印刷に要するシートが、前記予め穿孔処理が施されているシートである場合に、
前記印刷手段による印刷を実行させるユーザ要求の入力に先立って、前記処理手段によってステイプル処理および穿孔処理の何れかの加工処理を実行させるユーザ要求が前記操作手段を介して入力された場合でも、
当該シートに対する前記処理手段による当該加工処理の実行を禁止する、
ことを特徴とする制御方法。
【請求項２４】
請求項１４乃至２３の何れかに記載の制御方法であって、
前記制御方法は、
前記印刷手段を具備する画像形成装置とデータ通信可能な外部装置から出力される画像データの印刷に要するシートが、前記予め穿孔処理が施されているシートである場合に、
前記印刷手段による印刷を実行させるユーザ要求の入力に先立って、前記処理手段によってステイプル処理および穿孔処理の何れかの加工処理を実行させるユーザ要求が前記操作手段を介して入力された場合でも、
当該シートに対する前記処理手段による当該加工処理の実行を禁止する、
ことを特徴とする制御方法。
【請求項２５】
請求項１４乃至２４の何れかに記載の制御方法であって、
前記制御方法は、
前記印刷手段を具備する画像形成装置に具備される原稿読取手段によって読取処理が行われる原稿の画像データの印刷に要するシートが、前記予め穿孔処理が施されているシートである場合に、
前記印刷手段による印刷を実行させるユーザ要求の入力に先立って、前記処理手段によってステイプル処理および穿孔処理の何れかの加工処理を実行させるユーザ要求が前記操作手段を介して入力された場合でも、
前記印刷手段による印刷に先立って前記操作手段による警告表示を実行させる、
ことを特徴とする制御方法。
【請求項２６】
請求項１４乃至２５の何れかに記載の制御方法であって、
前記制御方法は、
前記印刷手段を具備する画像形成装置とデータ通信可能な外部装置から出力される画像データの印刷に要するシートが、前記予め穿孔処理が施されているシートである場合に、
前記印刷手段による印刷を実行させるユーザ要求の入力に先立って、前記処理手段によってステイプル処理および穿孔処理の何れかの加工処理を実行させるユーザ要求が前記操作手段を介して入力された場合でも、
前記印刷手段による印刷に先立って前記操作手段による警告表示を実行させる、
ことを特徴とする制御方法。
【請求項２７】
請求項１４乃至２６の何れかに記載の制御方法をコンピュータに実行させるためのプログラムを記憶したことを特徴とするコンピュータで読み取り可能な記憶媒体。
【発明の詳細な説明】
【技術分野】
【０００１】
本発明は予め穿孔処理が施されているシートを含む複数種類のシートを印刷手段による印刷で利用可能にした画像形成システム、制御方法、並びに記憶媒体に関する。
【背景技術】
【０００２】
従来より、デジタル複合機等の画像入出力装置では、スキャナ等で読み込んだ画像データに対し、該画像データの方向を変更することなく出力することにより、ユーザから見て出力結果が１８０度回転した状態で画像出力を行い、これにより、画像処理を迅速に行うと共に、該画像処理に付随する穿孔処理やステープル処理等の処理位置の制御を行っている。
【０００３】
図１４は原稿台上での原稿走査から記録用紙に出力されるまでの状態を示す図である。
【０００４】
すなわち、図１４（ａ）に示すように、「あ」という文字が描かれた原稿が図中下方を原稿台手前側、図中上方を原稿台奥側となるように原稿台に載置した場合、図１４（ｂ）に示すように、矢印ｍで示す主走査方向、及び矢印ｓで示す副走査方向に原稿走査して画像データの読取（原稿読取）が行われる。そして、図１３（ｃ）に示すように、矢印ｍ′を主方向、矢印ｓ′を副方向の書込方向として画像メモリに記録される。
【０００５】
また、通常、原稿の副走査方向において、記録用紙の搬送方向と記録用紙への書込方向とが逆になるため、画像メモリからの読み出しを図１４（ｃ）で示した画像データの書込方向とした場合、記録用紙への出力は、図１４（ｄ）に示すように、主走査方向を矢印ｍ″、副走査方向を矢印ｓ″とし、ユーザから見て入力画像に対し１８０度画像回転した状態で出力画像を得ている。
【０００６】
このように従来の画像入出力装置では、画像メモリへの画像データの書込方向と画像メモリからの画像データの読出方向とを一致させることにより、画像データの出力を素早く行うことができる。
【発明の開示】
【発明が解決しようとする課題】
【０００７】
ところで、上述した画像入出力装置では、記録用紙上に既に別の画像データが予め印刷されている場合や、記録用紙に予め穿孔処理が施されている場合のように記録用紙に方向性があるような場合は、入力画像の出力をそのまま行うと、今回の画像処理により画像出力された出力画像の方向と予め記録用紙上に形成されている画像データの方向とが異なったり、穿孔処理されたパンチ穴の位置が所望位置とは異なる位置に形成される虞があり、このためユーザの意図した出力結果を得ることができなくなる場合があった。
【０００８】
そこで、このような事態が生じるのを回避するために、予め出力用紙に印刷が行われているような場合は、ユーザ自身が装置構成を考慮した上で記録用紙を所定方向に揃えて給紙部にセットしたり、或いはユーザが意図的に出力画像を回転させた上で出力を行う等の操作を行うことが必要となる。
【０００９】
しかしながら、上述のような操作はユーザにとって非常に煩わしいものであり、しかもこのような煩わしい作業をユーザに意識させて行わせることは、製品の仕様上好ましくない上、設定ミスが生じ易く、所望の出力画像を得ることができないという問題点があった。
【００１０】
特に、穿孔処理機能を有する画像入出力装置では、図１５（ａ）に示すように、パンチ穴５１…が既に形成されている記録用紙上に画像出力を行う場合、ユーザが誤って再度穿孔処理の実行を指示したときは、図１５（ｂ）に示すように、予めパンチ穴５１が形成されている記録用紙に更にパンチ穴５２が形成されたり、或いは出力画像の方向とパンチ穴の方向が合わなくなり、所望のファイリングを行うことができなくなるという不具合が生じる。
【００１１】
本発明はこのような事情に鑑みなされたものであって、予め穿孔処理が施されているシートを含む複数種類のシートを印刷手段による印刷で利用可能にした画像形成システムで、前記印刷手段による印刷を実行させるユーザ要求の入力に先立って、ユーザが誤って、シートに対する加工処理を実行させるユーザ要求を入力したために、前記印刷手段による印刷で利用される予め穿孔処理が施されているシートに対して不用意に加工処理が行われるといったトラブルが起きないようにすることができる画像形成システムおよび制御方法並びに記憶媒体を提供することを目的とする。
また本発明は、予め穿孔処理が施されているシートを含む複数種類のシートを印刷手段による印刷で利用可能にした画像形成システムで、前記印刷手段による印刷を実行させるユーザ要求の入力に先立って、ユーザが誤って、シートに対する穿孔処理を実行させるユーザ要求を入力したために、前記印刷手段による印刷で利用される予め穿孔処理が施されているシートに対して不用意に穿孔処理が行われるといったトラブルが起きないようにすることができる画像形成システムおよび制御方法並びに記憶媒体を提供することを目的とする。
また本発明は、予め穿孔処理が施されているシートを含む複数種類のシートを印刷手段による印刷で利用可能にした画像形成システムで、前記印刷手段による印刷を実行させるユーザ要求の入力に先立って、ユーザが誤って、シートに対するステイプル処理を実行させるユーザ要求を入力したために、前記印刷手段による印刷で利用される予め穿孔処理が施されているシートに対して不用意にステイプル処理が行われるといったトラブルが起きないようにすることができる画像形成システムおよび制御方法並びに記憶媒体を提供することを目的とする。
【課題を解決するための手段】
【００１２】
上記目的を達成するために本発明に係る画像形成システムは、予め穿孔処理が施されているシートを含む複数種類のシートを印刷手段による印刷で利用可能にし、シートに対する加工処理を実行可能な処理手段により前記加工処理を実行させるユーザ要求が、前記印刷手段による印刷を実行させるユーザ要求の入力に先立って、操作手段を介して入力された場合に、前記印刷手段による印刷で利用されるシートに対して前記加工処理を前記処理手段により実行可能にした、画像形成システムであって、前記印刷手段による印刷を実行させるユーザ要求の入力に先立って、前記処理手段による前記加工処理を実行させるユーザ要求が前記操作手段を介して入力された場合でも、前記印刷手段による印刷で、前記予め穿孔処理が施されているシートを要する場合に、前記処理手段による当該シートに対する前記加工処理の実行を禁止する、制御手段を有することを特徴とする。
また、上記目的を達成するために本発明に係る画像形成システムは、予め穿孔処理が施されているシートを含む複数種類のシートを印刷手段による印刷で利用可能にし、シートに対する加工処理を実行可能な処理手段により前記加工処理を実行させるユーザ要求が、前記印刷手段による印刷を実行させるユーザ要求の入力に先立って、操作手段を介して入力された場合に、前記印刷手段による印刷で利用されるシートに対して前記加工処理を前記処理手段により実行可能にした、画像形成システムであって、前記印刷手段による印刷を実行させるユーザ要求の入力に先立って、前記処理手段による前記加工処理を実行させるユーザ要求が前記操作手段を介して入力された場合でも、前記印刷手段による印刷で、前記予め穿孔処理が施されているシートを要する場合に、前記印刷手段による印刷に先立って前記操作手段による警告表示を実行させる、制御手段を有することを特徴とする。
また、上記目的を達成するために本発明に係る画像形成システムは、予め穿孔処理が施されているシートを含む複数種類のシートを印刷手段による印刷で利用可能にし、シートに対する穿孔処理を実行可能な処理手段により前記穿孔処理を実行させるユーザ要求が、前記印刷手段による印刷を実行させるユーザ要求の入力に先立って、操作手段を介して入力された場合に、前記印刷手段による印刷で利用されるシートに対して前記穿孔処理を前記処理手段により実行可能にした、画像形成システムであって、前記印刷手段による印刷を実行させるユーザ要求の入力に先立って、前記処理手段による前記穿孔処理を実行させるユーザ要求が前記操作手段を介して入力された場合でも、前記印刷手段による印刷で、前記予め穿孔処理が施されているシートを要する場合に、前記処理手段による当該シートに対する前記穿孔処理の実行を禁止する、制御手段を有することを特徴とする。
また、上記目的を達成するために本発明に係る画像形成システムは、予め穿孔処理が施されているシートを含む複数種類のシートを印刷手段による印刷で利用可能にし、シートに対する穿孔処理を実行可能な処理手段により前記穿孔処理を実行させるユーザ要求が、前記印刷手段による印刷を実行させるユーザ要求の入力に先立って、操作手段を介して入力された場合に、前記印刷手段による印刷で利用されるシートに対して前記穿孔処理を前記処理手段により実行可能にした、画像形成システムであって、前記印刷手段による印刷を実行させるユーザ要求の入力に先立って、前記処理手段による前記穿孔処理を実行させるユーザ要求が前記操作手段を介して入力された場合でも、前記印刷手段による印刷で、前記予め穿孔処理が施されているシートを要する場合に、前記印刷手段による印刷に先立って前記操作手段による警告表示を実行させる、制御手段を有することを特徴とする。
また、上記目的を達成するために本発明に係る画像形成システムは、予め穿孔処理が施されているシートを含む複数種類のシートを印刷手段による印刷で利用可能にし、シートに対するステイプル処理を実行可能な処理手段により前記ステイプル処理を実行させるユーザ要求が、前記印刷手段による印刷を実行させるユーザ要求の入力に先立って、操作手段を介して入力された場合に、前記印刷手段による印刷で利用されるシートに対して前記ステイプル処理を前記処理手段により実行可能にした、画像形成システムであって、前記印刷手段による印刷を実行させるユーザ要求の入力に先立って、前記処理手段による前記ステイプル処理を実行させるユーザ要求が前記操作手段を介して入力された場合でも、前記印刷手段による印刷で、前記予め穿孔処理が施されているシートを要する場合に、前記処理手段による当該シートに対する前記ステイプル処理の実行を禁止する、制御手段を有することを特徴とする。
また、上記目的を達成するために本発明に係る画像形成システムは、予め穿孔処理が施されているシートを含む複数種類のシートを印刷手段による印刷で利用可能にし、シートに対するステイプル処理を実行可能な処理手段により前記ステイプル処理を実行させるユーザ要求が、前記印刷手段による印刷を実行させるユーザ要求の入力に先立って、操作手段を介して入力された場合に、前記印刷手段による印刷で利用されるシートに対して前記ステイプル処理を前記処理手段により実行可能にした、画像形成システムであって、前記印刷手段による印刷を実行させるユーザ要求の入力に先立って、前記処理手段による前記ステイプル処理を実行させるユーザ要求が前記操作手段を介して入力された場合でも、前記印刷手段による印刷で、前記予め穿孔処理が施されているシートを要する場合に、前記印刷手段による印刷に先立って前記操作手段による警告表示を実行させる、制御手段を有することを特徴とする。
【００１３】
また、上記目的を達成するために本発明に係る制御方法は、予め穿孔処理が施されているシートを含む複数種類のシートを印刷手段による印刷で利用可能にし、シートに対する加工処理を実行可能な処理手段により前記加工処理を実行させるユーザ要求が、前記印刷手段による印刷を実行させるユーザ要求の入力に先立って、操作手段を介して入力された場合に、前記印刷手段による印刷で利用されるシートに対して前記加工処理を前記処理手段により実行可能にした、画像形成システムの制御方法であって、前記制御方法は、前記印刷手段による印刷を実行させるユーザ要求の入力に先立って、前記処理手段による前記加工処理を実行させるユーザ要求が前記操作手段を介して入力された場合でも、前記印刷手段による印刷で、前記予め穿孔処理が施されているシートを要する場合に、前記処理手段による当該シートに対する前記加工処理の実行を禁止する、制御手段を有することを特徴とする。
また、上記目的を達成するために本発明に係る制御方法は、予め穿孔処理が施されているシートを含む複数種類のシートを印刷手段による印刷で利用可能にし、シートに対する加工処理を実行可能な処理手段により前記加工処理を実行させるユーザ要求が、前記印刷手段による印刷を実行させるユーザ要求の入力に先立って、操作手段を介して入力された場合に、前記印刷手段による印刷で利用されるシートに対して前記加工処理を前記処理手段により実行可能にした、画像形成システムの制御方法であって、前記制御方法は、前記印刷手段による印刷を実行させるユーザ要求の入力に先立って、前記処理手段による前記加工処理を実行させるユーザ要求が前記操作手段を介して入力された場合でも、前記印刷手段による印刷で、前記予め穿孔処理が施されているシートを要する場合に、前記印刷手段による印刷に先立って前記操作手段による警告表示を実行させる、制御手段を有することを特徴とする。
また、上記目的を達成するために本発明に係る制御方法は、予め穿孔処理が施されているシートを含む複数種類のシートを印刷手段による印刷で利用可能にし、シートに対する穿孔処理を実行可能な処理手段により前記穿孔処理を実行させるユーザ要求が、前記印刷手段による印刷を実行させるユーザ要求の入力に先立って、操作手段を介して入力された場合に、前記印刷手段による印刷で利用されるシートに対して前記穿孔処理を前記処理手段により実行可能にした、画像形成システムの制御方法であって、前記制御方法は、前記印刷手段による印刷を実行させるユーザ要求の入力に先立って、前記処理手段による前記穿孔処理を実行させるユーザ要求が前記操作手段を介して入力された場合でも、前記印刷手段による印刷で、前記予め穿孔処理が施されているシートを要する場合に、前記処理手段による当該シートに対する前記穿孔処理の実行を禁止する、制御手段を有することを特徴とする。
また、上記目的を達成するために本発明に係る制御方法は、予め穿孔処理が施されているシートを含む複数種類のシートを印刷手段による印刷で利用可能にし、シートに対する穿孔処理を実行可能な処理手段により前記穿孔処理を実行させるユーザ要求が、前記印刷手段による印刷を実行させるユーザ要求の入力に先立って、操作手段を介して入力された場合に、前記印刷手段による印刷で利用されるシートに対して前記穿孔処理を前記処理手段により実行可能にした、画像形成システムの制御方法であって、前記制御方法は、前記印刷手段による印刷を実行させるユーザ要求の入力に先立って、前記処理手段による前記穿孔処理を実行させるユーザ要求が前記操作手段を介して入力された場合でも、前記印刷手段による印刷で、前記予め穿孔処理が施されているシートを要する場合に、前記印刷手段による印刷に先立って前記操作手段による警告表示を実行させる、制御手段を有することを特徴とする。
また、上記目的を達成するために本発明に係る制御方法は、予め穿孔処理が施されているシートを含む複数種類のシートを印刷手段による印刷で利用可能にし、シートに対するステイプル処理を実行可能な処理手段により前記ステイプル処理を実行させるユーザ要求が、前記印刷手段による印刷を実行させるユーザ要求の入力に先立って、操作手段を介して入力された場合に、前記印刷手段による印刷で利用されるシートに対して前記ステイプル処理を前記処理手段により実行可能にした、画像形成システムの制御方法であって、前記制御方法は、前記印刷手段による印刷を実行させるユーザ要求の入力に先立って、前記処理手段による前記ステイプル処理を実行させるユーザ要求が前記操作手段を介して入力された場合でも、前記印刷手段による印刷で、前記予め穿孔処理が施されているシートを要する場合に、前記処理手段による当該シートに対する前記ステイプル処理の実行を禁止する、制御手段を有することを特徴とする。
また、上記目的を達成するために本発明に係る制御方法は、予め穿孔処理が施されているシートを含む複数種類のシートを印刷手段による印刷で利用可能にし、シートに対するステイプル処理を実行可能な処理手段により前記ステイプル処理を実行させるユーザ要求が、前記印刷手段による印刷を実行させるユーザ要求の入力に先立って、操作手段を介して入力された場合に、前記印刷手段による印刷で利用されるシートに対して前記ステイプル処理を前記処理手段により実行可能にした、画像形成システムの制御方法であって、前記制御方法は、前記印刷手段による印刷を実行させるユーザ要求の入力に先立って、前記処理手段による前記ステイプル処理を実行させるユーザ要求が前記操作手段を介して入力された場合でも、前記印刷手段による印刷で、前記予め穿孔処理が施されているシートを要する場合に、前記印刷手段による印刷に先立って前記操作手段による警告表示を実行させる、制御手段を有することを特徴とする。
【００１４】
また、上記目的を達成するために本発明に係る記憶媒体は、請求項１４乃至２６の何れかに記載の制御方法をコンピュータに実行させるためのプログラムを記憶したことを特徴とするコンピュータで読み取り可能な記憶媒体である。
【００１５】
尚、本発明のその他の特徴は下記の発明の実施の形態の記載より明らかとなろう。
【発明の効果】
【００１６】
本発明によれば、予め穿孔処理が施されているシートを含む複数種類のシートを印刷手段による印刷で利用可能にした画像形成システムで、前記印刷手段による印刷を実行させるユーザ要求の入力に先立って、ユーザが誤って、シートに対する加工処理を実行させるユーザ要求を入力したために、前記印刷手段による印刷で利用される予め穿孔処理が施されているシートに対して不用意に加工処理が行われるといったトラブルが起きないようにすることができる画像形成システムおよび制御方法並びに記憶媒体を提供できる。
また本発明よれば、予め穿孔処理が施されているシートを含む複数種類のシートを印刷手段による印刷で利用可能にした画像形成システムで、前記印刷手段による印刷を実行させるユーザ要求の入力に先立って、ユーザが誤って、シートに対する穿孔処理を実行させるユーザ要求を入力したために、前記印刷手段による印刷で利用される予め穿孔処理が施されているシートに対して不用意に穿孔処理が行われるといったトラブルが起きないようにすることができる画像形成システムおよび制御方法並びに記憶媒体を提供できる。
また本発明によれば、予め穿孔処理が施されているシートを含む複数種類のシートを印刷手段による印刷で利用可能にした画像形成システムで、前記印刷手段による印刷を実行させるユーザ要求の入力に先立って、ユーザが誤って、シートに対するステイプル処理を実行させるユーザ要求を入力したために、前記印刷手段による印刷で利用される予め穿孔処理が施されているシートに対して不用意にステイプル処理が行われるといったトラブルが起きないようにすることができる画像形成システムおよび制御方法並びに記憶媒体を提供できる。
【発明を実施するための最良の形態】
【００１７】
以下、本発明の実施の形態を図面に基づいて詳説する。
【００１８】
図１は本発明に係る画像入出力装置の一実施の形態を示すブロック構成図であって、該画像入出力装置１は、イーサネット(登録商標)等のＬＡＮ（Local Area Network）２を介して複数の電子機器（本実施の形態では、ネットワークプリンタ３、第１のパーソナルコンピュータ（以下、「パソコン」という）４、第１のファクシミリ装置５、ワークステーション６及びネットワークスキャナ７）と接続され、また、公衆回線網８を介して第２のファクシミリ装置９に接続され、さらにＲＳ２３２Ｃ、セントロニクス・インターフェース（Ｉ／Ｆ）、ＩＥＥＥ１２８４、或いはＳＣＳＩ等の専用Ｉ／Ｆケーブル１０を介して第２のパソコン１１に接続されている。
【００１９】
上記画像入出力装置１は、画像データの読取処理を行うリーダ部１２と、画像データの出力処理を行うプリンタ部１３と、画像データや各種機能の表示等を行う液晶パネルと画像データの入出力操作を行うために前記液晶パネルに貼着されたタッチパネルやキーボードを有する操作部１４と、これら各構成要素に接続されて装置全体を制御するコントローラ部１５とから構成されている。
【００２０】
そして、リーダ部１２は、原稿用紙を搬送する原稿給送部１６と、原稿画像を光学的に読み取って電気信号としての画像データに変換するスキャナ部１７とを有し、プリンタ部１３は、画像形成された記録用紙にソート処理やステープル処理を施すフィニッシャ部１８と、画像データを記録用紙に転写、定着させる画像形成処理部１９とを有している。
【００２１】
図２は上記リーダ部１２の内部構造図であって、該リーダ部１２では原稿固定方式の原稿給送方式が採用されている。
【００２２】
すなわち、該リーダ部１２では、原稿給送部２０に積層された原稿用紙がその積層順序に従って先頭から順次１枚ずつプラテンガラス２１上に給送され、スキャナ部２２で所定の読取動作が終了した後、該読み取られた原稿用紙はプラテンガラス２１上から原稿給送部２０に排出される。
【００２３】
また、上記スキャナ部２２では、原稿用紙がプラテンガラス２１上に搬送されてくるとランプ２３が点灯し、次いで光学ユニット２４の移動を開始させ、原稿用紙を下方から照射し走査する。そして、原稿用紙からの反射光は、複数のミラー２５〜２７、及びレンズ２８を介してＣＣＤイメージセンサ(以下、単に「ＣＣＤ」と記す)２９へと導かれ、走査された原稿画像はＣＣＤ２９によって読み取られる。そして、ＣＣＤ２９で読み取られた画像データは、所定の処理が施された後、コントローラ部１５に転送される。
【００２４】
尚、原稿給送部２０から原稿を給紙する場合、一度に複数枚の原稿をプラテンガラス２１上に搬送した後にランプ２３を点灯させて原稿の読取処理を行なうようにしてもよい。
【００２５】
また、本実施の形態では原稿給送方式が原稿固定方式の場合について説明したが、原稿移動方式を採用してもよい。この場合は、スキャナ部１７のランプ２３が点灯し、且つ光学ユニット２４が所定位置に移動して停止する。そして光学ユニット２４が移動する間に原稿給紙部２０上に積載された原稿は、１枚づつ順次プラテンガラス２１上に搬送され、排出される。原稿が搬送されると、所定位置で停止しているランプ２３が点灯し、移動中の原稿を照射する。そして、原稿からの反射光は複数のミラー２５〜２７、及びレンズ２８を介してＣＣＤ２９へと導かれる。
【００２６】
図３はスキャナ部１７の信号処理系を示すブロック構成図であって、該信号処理系は、Ｒ（赤）、Ｇ（緑）、Ｂ（青）のカラー入力情報を増幅する増幅器３０Ｒ、３０Ｇ、３０Ｂと、該増幅器３０Ｒ、３０Ｇ、３０Ｂで増幅されたアナログ電気信号をデジタル電気信号に変換するＡ／Ｄ変換器３１と、該Ａ／Ｄ変換器３１でデジタル電気信号に変換された画像データに対し所定のシェーディング処理を施すシェーディング回路３２と、双方向の非同期シリアルＩ／Ｆ及びビデオＩ／Ｆを備えてコントローラ部１５に接続される第１のコネクタ３３と、光学ユニット２４の駆動タイミングを制御するタイミング生成回路３４と、原稿給送部１６に接続される第２のコネクタ３５と、リーダ部１２のステータス情報等を記憶するＮＶＲＡＭ（不揮発性メモリ）３６と、所定の制御プログラムが格納されたＲＯＭ３７と、演算結果を一時的に記憶したりワークエリアとして使用されるＲＡＭ３８と、これら各構成要素に接続され上記制御プログラムを実行すると共にスキャナ部全体の制御を行うＣＰＵ３９とを備えている。
【００２７】
このような信号処理系で構成されたスキャナ部１７においては、ＣＣＤ２９によりアナログ電気信号に変換されたカラー画像データは、増幅器３０Ｒ、３０Ｇ、３０Ｂで所定レベルに増幅された後、Ａ／Ｄ変換器３１でデジタル電気信号に変換され、該デジタル電気信号に変換された画像データはシェーディング回路３２に入力される。そして、該シェーディング回路３２では、ランプ２３の配光ムラやＣＣＤ２９の感度ムラ等が補正される。尚、該配光ムラや感度ムラの補正実行の可否はコントローラ部１５で決定し、斯かる決定結果がＣＰＵ３９に供給され、したがってシェーデイング回路３２での動作はＣＰＵ３９で制御される。
【００２８】
また、第１のコネクタ３３は、コントローラ部１５との間で各種制御コマンドの送受信を行ったり、ステータス情報の送受信、画像の転送を行う。すなわち、コントローラ部１５は、第１のコネクタ３３を介してＣＰＵ３９にスキャナ部１７のステータス要求や画像転送要求を行い、スキャナ部１７はリーダ部１２のステータス情報やＮＶＲＡＭ３６に記憶されている記憶情報をコントローラ部１５に送信する。
【００２９】
ＣＰＵ３９は、第２のコネクタ３５を介して原稿給送部１６に原稿の給紙を要求し、該原稿給送部１６はＣＰＵ３９の要求に従って給送モータ（不図示）の制御等を実行し、原稿の給紙動作を実行する。また、原稿給送部１６は、該原稿給送部１６のステータス情報や該原稿給送部１６内にメモリに記憶されている記憶情報をスキャナ部１７に送信する。
【００３０】
尚、上述したタイミング生成回路３４はコントローラ部１５からの制御信号（ＨＳＹＮＣ、ＨＥＮ、ＶＳＹＮＣ、ＶＥＮ）によって起動し、コントローラ部１５からの要求に基づいて光学ユニット２４を動作させるモータドライバ（不図示）の駆動タイミングを制御する。
【００３１】
図４はプリンタ部１３の内部構造図である。
【００３２】
すなわち、プリンタ部１３では、コントローラ部１５から出力された画像データに対応するレーザ光が、レーザドライバ４０により駆動するレーザ発光部４１から発光され、該レーザ光は、ミラー４２を介して感光ドラム４３に照射され、感光ドラム４３にはレーザ光に応じた静電潜像が形成され、現像器４４により前記静電潜像の部分に現像剤が付着する。
【００３３】
一方、レーザ光の照射開始と同期したタイミングで、給紙部４５（第１及び第２の給紙カセット４５ａ、４５ｂ）から記録用紙が給紙されて転写部４６に搬送され、感光ドラム４３に付着している現像剤を記録用紙に転写する。画像データが転写された記録用紙は定着部４７に搬送され、定着部４７における加熱・加圧処理により画像データが記録用紙に定着される。
【００３４】
そして、画像データを記録用紙に片面記録する場合は、定着部４７を通過した記録用紙が排出ローラ４８によってそのままフィニッシャ部１８に排出され、該フィニッシャ部１８は排出された記録用紙を束ねて記録用紙の仕分けをしたり、仕分けされた記録用紙のステープルを行う。
【００３５】
また、画像データを記録用紙に両面記録する場合は、排出ローラ４８まで記録用紙を搬送した後、該排出ローラ４８の回転方向を逆転させ、フラッパ４９によって再給紙搬送路５０へと導かれ、該再給紙搬送路５０に導かれた記録用紙は上述と同様にして転写部４６に搬送される。
【００３６】
図５はコントローラ部１５の詳細を示すブロック構成図である。
【００３７】
すなわち、メインコントローラ５１は、ＣＰＵ５２とＲＩＰ（Raster Image Processing）部５３とを内蔵すると共に、ＲＯＭ５４、ＳＤＲＡＭ５５、コーデック５６等と接続されている。
【００３８】
ＲＯＭ５４は、メインコントローラ５１のＣＰＵ５２で実行される各種制御プログラムや演算データが格納されている。ＳＤＲＡＭ５５は、ＣＰＵ５２が動作するための作業領域や画像データを蓄積するための領域として使用され、更にはコントローラ部１５の動作上必要な各種設定値や画像データが適宜保存される。また、ＳＤＲＡＭ５５は二次電池５７により電源バックアップされるバックアップ回路５８に接続され、コントローラ部１５の電源供給が遮断されてもＳＤＲＡＭ５５の記憶内容はバックアップ回路５８及び二次電池５７を介してバックアップされ、ＳＤＲＡＭ５５の記憶内容が消失しないように構成されている。
【００３９】
コーディック５６は、ＲＡＭ５９をワークエリアとして画像データの圧縮・伸長処理を行う。すなわち、コーディック５６は、メインコントローラ５１を介してＳＤＲＡＭ５５との間で画像データの授受を行い、ＳＤＲＡＭ５５に蓄積されたラスターイメージデータをＪＰＥＧやＪＢＩＧ等の周知の圧縮方式で圧縮し、また圧縮された圧縮データをラスターイメージデータに伸長する。さらに、該コーデック５６は、上述した圧縮伸長機能を有する他、画像データの回転処理機能を有し、例えば、二値化された画像データを時計回りに９０度、１８０度、２７度の回転処理を行うことができる。
【００４０】
また、メインコントローラ５１のＲＩＰ部５３は、コントローラ部１５に入力されるＰＳ、ＰＣＬ等のＰＤＬフォーマットをＣＰＵ５２の指示に従って展開し、コントローラ部１５に接続されるプリンタ部１３の出力可能な画像フォーマット（ビットマップデータ）に変換する。
【００４１】
メインコントローラ５１は、中間コネクタ６０を介してＭＡＣＲＯＭ６１及び１０／１００ＢＡＳＥ−Ｔ等のネットワークコネクタ６２に接続されている。ＭＡＣＲＯＭ６１は、ネットワーク上での物理アドレスを記憶し、またネットワークコネクタ６２はＬＡＮ２に接続されて該ＬＡＮ２上の各種電子機器との間でデータの送受信を可能としている。
【００４２】
また、前記メインコントローラ５１は操作部Ｉ／Ｆ６３、スキャン画像処理回路６４及びプリント画像処理回路６５と接続され、さらにＰＣＩバス６６を介して拡張ボードを接続するための拡張コネクタ６７、ＰＣＩアービタ６８及び入出力制御部（Ｉ／Ｏ制御部）６９に接続されている。
【００４３】
操作部Ｉ／Ｆ６３は操作部１４に接続され、操作部１４からの入力情報は操作部Ｉ／Ｆ６３を介してＣＰＵ５２に供給され、また、ＣＰＵ５２からの指示に従い操作部１４上の液晶パネルに画像データを表示したり、各種操作機能の表示を行う。
【００４４】
Ｉ／Ｏ制御部６９は、スキャン画像処理回路６４及びプリントが画像処理回路６５に接続され、これらスキャン画像処理回路６４及びプリントが画像処理回路６５との間で制御コマンドの授受を行う。
【００４５】
ＰＣＩバス６６は、ＰＣＩアービタ６８によりバスの競合時におけるアービトレーション（調停）が実行されて制御され、またＣＰＵ５２に内蔵されたＰＣＩコントローラ（不図示）を介してＰＣＩバス６６上にデータを転送することができ、これによりＩ／Ｏ制御部６９にアクセスしたり、拡張コネクタ６７に接続される他の周辺機器と通信を行う（データ通信可能）。
【００４６】
さらに、メインコントローラ５１には専用Ｉ／Ｆ７０が接続され、さらに該専用Ｉ／Ｆ７０は第２のファクシミリ装置９に接続されている。
【００４７】
そして、前記スキャン画像処理回路６４はスキャナコネクタ７１に接続され、またプリント画像処理回路６５はプリンタコネクタ７２に接続されている。
【００４８】
スキャナコネクタ７１及びプリンタコネクタ７２は、双方向の非同期シリアルＩ／Ｆ及びビデオＩ／Ｆを有し、スキャナコネクタ７１はスキャナ部１７と接続され、プリンタコネクタ７２は画像形成処理部１９と接続されている。そして、ＣＰＵ５２はスキャナコネクタ７１を介してスキャナ部１７に制御コマンドを送信して画像データの転送要求を行い、スキャナ部１７から画像データ受信し、また、プリンタコネクタ７２を介して画像形成処理部１９との間で制御コマンドの授受を行い、画像データを送信する。
【００４９】
スキャン画像処理回路６４は、ＲＧＢ位相補正機能、下地除去機能、文字判定機能、画像加工機能、有彩色判定／カウント機能、主走査変倍機能、二値化機能、輪郭、エッジ強調機能等の画像処理機能を有し、Ｉ／Ｏ制御部６９の制御下、スキャナ部１７から転送されてくる画像データに上述した画像処理を施す。また、該スキャン画像処理回路６４は、画像データの主走査方向及び／又は副走査方向の鏡像処理を行うことができ、主走査方向及び副走査方向の鏡像処理を行うことにより画像データを１８０度回転させることができる。
【００５０】
ここで、ＲＧＢ位相補正機能は、スキャナ部１７の各色成分間の読み取り位相（副走査位置）ズレを補正するものであり、下地除去機能はスキャナ部１７からの入力画像中の下地色を除去するものであり、文字判定機能は文字／細線部のエッジ領域を判定するものである。また、画像加工機能としては、文字判定機能により文字と判定された画像中の該当箇所を斜体に変換する斜体機能、画像を反転して鏡像にする鏡像機能、複数の同一画像を出力する事が可能なリピート機能等が搭載されている。さらに、有彩色判定／カウント機能は、色文字と黒文字の分離を行って文字信号を制御し、またスキャナ部１７で読み取った画像データがモノクロ画像かカラー画像かを判定する。主走査変倍機能はスキャナ部１７からの入力画像の主走査方向を変倍するものであり、二値化機能は多値信号を固定スライスレベルで二値化する単純二値化機能、スライスレベルが注目画素の回りの画素の値から変動する変動スライスレベルによる二値化機能、及び誤差拡散法による二値化機能が搭載されている。
【００５１】
プリント画像処理回路６５は、主走査変倍機能、副走査変倍機能、スムージング機能、太らせ機能等の画像処理機能を有し、Ｉ／Ｏ制御部６９の制御下、画像処理を施し、プリンタコネクタ７２を介して画像形成処理部１９に画像データを転送する。すなわち、プリンタ画像処理回路６５では、画像形成処理部１９で出力可能な最適画像に加工し、画像形成処理部１９に画像データの出力を要求し、画像データを転送することにより所望の画像データを印刷出力することができる。尚、スキャン画像処理回路６４と同様、プリント画像処理回路６５においても画像データの主走査方向及び／又は副走査方向の鏡像処理を行うことができ、主走査方向及び副走査方向の鏡像処理を行うことにより画像データを１８０度回転させることができる。
【００５２】
また、Ｉ／Ｏ制御部６９は、ＬＣＤコントローラ７３に接続され、さらに該ＬＣＤコントローラ７３にはカラー液晶表示装置７４が接続可能とされ、該カラー液晶表示装置７４にはプリント画像処理回路６５で画像処理された画像データの表示が可能とされている。
【００５３】
また、前記Ｉ／Ｏ制御部６９は、Ｅ−ＩＤＥコネクタ７５を介してＨＤＤ７６に接続され、さらに、機器内で管理する日付と時刻を更新／保存するリアルタイムクロックモジュール７７に接続されている。尚、ＨＤＤ７６は大容量の不揮発性記憶装置であって、ＣＰＵ５２が動作する上での複数のアプリケーション又は画像データが格納されている。
【００５４】
次に、例えば、会社のロゴ等が所定の位置（例えば、シートの右上）に所定方向で予め印刷されているシート等の、所定位置に何らかの画像が予め形成されているシート（以下、「プレプリント紙」という）に、例えば、スキャナ７やＰＣ６、ファクシミリ５等の画像発生源から入力した画像データを形成する場合の処理について説明する。尚、本形態では、上記所定位置とは異なる印字領域に上記画像発生源からの画像を形成するようにしている。
【００５５】
図６、図８、図１１等のフローチャートに示す処理を含む本形態の各種の処理は、コントローラ部１５のＣＰＵ５２により実行され、上記各種の処理を実行する為のプログラムコードが記憶されているＲＯＭ５４から当該プログラムを読み出し実行することにより行われる。
【００５６】
図６はメディアタイプ（記録用紙タイプ）の設定手順を示すフローチャートであり、ステップＳ１でユーザは記録用紙をセットする給紙段を選択する。すなわち、まずユーザはプレプリント紙を画像形成処理部１９の給紙部４５のうち、いずれかの給紙カセットを選択してセットする（本実施の形態では、第１の給紙カセット４５ａを選択したものとする）。
【００５７】
プレプリント紙は、通常はプレプリント紙の上方が奥側となるように第１の給紙カセット４５ａに収容される。
【００５８】
また、通常、プリンタ部１３（画像形成処理部１９）では、第１の給紙カセット４５ａから給紙される記録用紙の裏側に印刷処理するため、プレプリント紙の印刷面側が裏面となるように第１の給紙カセット４５ａにプレプリント紙がセットされる。
【００５９】
次いで、ステップＳ２でメディアタイプを選択し、メディアタイプの設定を行う。すなわち、印刷処理を開始する前に、操作部１４の液晶パネルには図７に示すように各種メディアタイプが表示され、ユーザは液晶パネル上の「プレプリント紙」（図中、Ａで示す）を押下し、メディアタイプとしてプレプリント紙を選択し、メディアタイプの設定処理を終了する。
【００６０】
尚、本実施の形態では、ユーザにより、図7に示す操作画面等で、各給紙カセット毎に、シートの種類（本形態では、メディアタイプと称す）を指定可能に構成する。そして、このように、ユーザが、図7に示すような操作画面上にて、各給紙口毎に夫々、シートの種類を指定する等の入力操作を予め行っておくことで、シートの種類に関する情報を各給紙カセット毎に取得し、当該各給紙カセット毎のシートの種類に関する情報を、コントローラ部１５のメモリ（例えば、ＳＤＲＡＭ５５）に記憶管理し、コントローラ部１５のＣＰＵ５２は、上記メモリに記憶された各給紙カセット毎のシートの種類情報を適宜読出し参照することで、シートの種類を各給紙カセット毎に判別することが出来る。又、例えば、不図示の反射型光学式センサ等を、各給紙口毎に夫々設け、当該センサにより検出した反射率に応じてシートの種類を判別する等、センサを用いてシートの種類を判別するような構成でも良い。又、給紙カセットにセットされたシートのサイズ情報に関しても、操作部からのユーザの入力情報によって取得しても良いし、センサによるサイズ検出により取得するような構成でも良い。
【００６１】
また、本実施の形態では、図７に表示されているような、特殊なシートを含む、様々な種類のシートに対して画像形成可能に構成されている。図７の操作画面を参照して、例えば、「厚紙」とは、製本の為の表紙や合紙等に使用される通常のシートよりも厚みをもった腰の強いシートであり、「プレパンチ紙」とは、予め所定の位置（綴じ位置）に穿孔処理（パンチ処理）が施されている、パンチユニット等の装置にてパンチ処理を必要としないシートであり、「色紙」とは、例えば、製本時において第1章と第2章との区切れ目を明確にする為等に用いられる色付きのシートであり、「プレプリント紙」は、上述したように、所定の位置に予め画像が形成されているシートである。本形態では、ユーザにより、これら各種のシートを給紙カセットにセットさせ、操作画面上にて、給紙カセットにセットしたシートの種類を指定入力させることで、上記コントローラ部１５のＣＰＵ５２は、画像形成すべきシートの種類を判別し、最適な処理を実行する。尚、このことに関しては、後述するフローチャートに示す処理等を用いて説明する。  
【００６２】
図８は画像データの出力制御方法を示すフローチャートである。
【００６３】
ステップＳ１１ではユーザは操作部１４を操作して印刷処理を行う場合の給紙段を選択する（本実施の形態では、プレプリント紙がセットされている第１の給紙カセット４５ａを選択する）。
【００６４】
次いでステップＳ１２ではユーザは操作部１４を操作してコピースタートを画像入出力装置１に対して指示し、続くステップＳ１３では画像データを１８０度回転させる１８０度回転モードに設定されているか、及び／又は記録用紙はプレプリント紙か否かを判断する。すなわち、第１の給紙カセット４５ａのメディアタイプの設定をＳＤＲＡＭ５５から読み出し、さらに別のモード選択で１８０度回転モードが既に指示されているか否かを判断する。ここで、１８０度回転モードは、画像向き優先モードとも呼称され、原稿の向きに対して出力結果がユーザから見て１８０度回転するのを避けたい場合にユーザが明示的に操作部１４を操作して画像を１８０度回転指示する。つまり、画像形成装置において、通常の像形成モードでは、原稿台にセットされた原稿の画像の向きと１８０度向きが異なった原稿画像をシート上に形成する（出力結果が原稿の向きに対して１８０度回転された状態）。１８０度回転モードとは、このように、入力原稿画像と１８０度向きの異なる画像がシート上に形成することを禁止し、即ち、原稿台にセットされた原稿画像と同一方向の原稿画像をシート上に形成するべく（出力結果が原稿の向きと同一方向の状態）、スキャナ等の画像発生源から入力された画像に対する１８０度の画像回転処理を行い、回転処理済みの画像をシート上に形成する像形成モードである。本形態では、このようなモードを選択する為の指示を、ユーザにより操作部１４に表示される不図示の操作画面上を介して入力可能である。
【００６５】
尚、上述のような設定の他にも、操作部１４に表示される不図示の操作画面上において、ユーザは、フィニッシャ等のシート処理装置が有すステイプラによりシートに対してステイプル処理を行うステイプル処理モードや、パンチユニットによりシートに対してパンチ処理を行うパンチ処理モード等の、シート加工処理モードを選択指示することができる。
【００６６】
そして、ステップＳ１３の答が否定（Ｎｏ）の場合はステップＳ１５に進み、通常設定での出力を行う一方、ステップＳ１３の答が肯定（Ｙｅｓ）の場合、すなわち、メディアタイプ設定がプレプリント紙の場合、及び／又は１８０度回転モードの場合はステップＳ１４に進み、画像データを１８０度回転させて出力し処理を終了する。
【００６７】
このように本実施の形態では、プレプリント紙には予め画像が形成されており（つまり、プレプリント紙は、方向性のもったシートといえる）、予め形成されている上記画像の向きと異なる向きの画像を当該プレプリント紙に形成しないようにする為、上記プレプリント紙に予め形成された画像の方向に基づいて、当該プレプリント紙に形成すべき入力画像の像形成方向を決定し、当該決定結果に応じた画像の回転処理を行い、回転処理後の画像をシート上に形成する（つまり、本形態では、１８０度の回転処理を施してからシート上に画像形成すれば、プレプリント紙に予め形成された画像の向きと入力画像の向きとを同一方向に揃えることができる）。
【００６８】
従って、操作部１４を介してユーザにより、本形態のような、例えば、１８０度回転モード等、シートに対する画像形成処理に先立ち、画像の回転処理を行うモードの実行指示が入力されようが、入力されまいが関係なく、画像形成すべきシートの種類がプレプリント紙であることに応じて、当該プレプリント紙に予め形成された画像の向きに応じた画像の回転処理を入力画像に対して自動的に実行し、回転処理済みの画像をシート上に形成するよう制御する。
【００６９】
尚、本実施の形態では、ＰＣ６等の外部装置から画像を出力し、当該画像をシート上に形成することが可能である。従って、ＰＣ等の外部装置のＣＲＴ上に表示される操作画面を介して、各給紙カセット毎のシートの種類の特定指示及び、１８０度回転モード等の画像回転モードの実行指示をユーザにより入力可能に構成し、当該外部からのこれらの指示データにより、画像形成装置は、各種の設定を行うようにしても良い。このような場合でも、上記外部装置からの画像を形成すべきシートの種類がプレプリント紙であることに応じて、上記外部装置で上述の画像回転モードの実行指示が入力されようが入力されまいが関係なく、当該プレプリント紙に予め形成された画像の向きに応じた画像の回転処理を入力画像に対して実行し、回転処理済みの画像をシート上に形成するよう制御する。
【００７０】
上記画像データの回転処理は、コーディック５６、スキャン画像処理回路６４、又はプリント画像処理回路６５で行うことができる。
【００７１】
以下、記録用紙の下部に「Confidential」の文字が既に印刷されているプレプリント紙に「あ」という文字を印刷する場合について、コーディック５６を使用して画像を回転出力させる方法を説明する。
【００７２】
まず、ＣＰＵ５２はスキャナコネクタ７１を介してリーダ部１２に対し原稿画像の読み込みを指示する。リーダ部１２は斯かる読込指示を受信して原稿走査を行い、画像入力を実行する。入力された画像データは、ＣＰＵ５２の管理下、スキャン画像処理回路６４を介してＳＤＲＡＭ５５に読み込まれる。
【００７３】
この時、図９（ａ）に示すように、プラテンガラス２１の上側（奥側）に文字「あ」の上部が位置するように原稿をプラテンガラス２１上に配置する。
【００７４】
そして、原稿給送方式が原稿固定方式の場合、或いは、原稿給送部２０が装備されずに圧板で原稿を押えながら原稿画像を読み取る場合は、図９（ｂ）のような矢印Ｍを主走査方向、矢印Ｓを主走査方向として画像走査されるため、図９（ｃ）に示すように、入力された画像はそのままＳＤＲＡＭ５５に書き込まれる（図中、Ｍ′がメモリ書込の主走査方向、Ｓ′がメモリ書込の副走査方向を示す）。
【００７５】
尚、原稿給送方式が原稿移動方式の場合は、図９（ｄ）に示すように、原稿固定方式とは異なり、副走査方向Ｓが逆方向に読み込まれるので、ＳＤＲＡＭ５５に書き込む際にはスキャン画像処理回路６４で副走査方向を鏡像にし、図９（ｅ）に示すように、副走査方向Ｓ′は逆向きにＳＤＲＡＭ５５に書き込まれる。
【００７６】
そして、これにより読み込まれた画像データは、原稿給送方式の種類に拘わらず原稿に対して同一の書込方向でもってＳＤＲＡＭ５５に格納される。
【００７７】
次に、ＣＰＵ５２は画像データがＳＤＲＡＭ５５に完全に読み込まれたことを確認し、画像の回転処理をハードウェアのアルゴリズム仕様に基づいて行う。尚、回転処理のアルゴリズムはどのようなアルゴリズムであっても構わない。本実施の形態では画像は１８０度の回転のみを行う。
【００７８】
一方、画像データの出力は、ＣＰＵ５２がプリンタコネクタ７２を介して画像形成処理部１９に指示することにより開始する。
【００７９】
すなわち、まず、画像形成処理部１９は、ＣＰＵ５２からの指示により、図１０（ａ）に示すようなプレプリント紙を第１の給紙カセット４５ａから搬送する。
【００８０】
そして、画像形成処理部１９ではレーザ光は感光ドラム４３に対し手前から画像描画を行うため、通常は図１０（ｃ）のような画像になり、プレプリント紙に印刷されている内容と画像の向きが１８０度反転した状態となる。
【００８１】
そこで、本実施の形態では予めプレプリント紙での出力であることをＣＰＵ５２に認識させ、上述したようにコーディック５６を使用してＳＤＲＡＭ５５上で１８０度回転させておき、図１０（ｄ）のような形式の画像データを得ている。
【００８２】
このように本第１の実施の形態では、読込画像を１８０度回転させることにより、プレプリント紙のような方向性をもった記録用紙に対して画像を出力する際に予め印刷されている画像方向と新たに印刷する画像方向とが対応した画像出力を得るようにしている。
【００８３】
図１１は画像データの出力制御方法の第２の実施の形態を示すフローチャートであって、本第２の実施の形態では、予め穿孔処理が施されている用紙（以下、「プレパンチ紙」という）に更に画像データを印刷する場合を示している。
【００８４】
まず、ユーザは給紙部４５、例えば、第１の給紙カセット４５ａにプレパンチ紙をセットし、図７の液晶パネルに表示されているプレパンチ紙（図中、Ｂで示す）を選択し、その後、第１の実施の形態と同様、給紙段の選択処理（ステップＳ１１）、及びコピーのスタート指示（ステップＳ１２）を実行し、次いでステップＳ１７では１８０度回転モードに設定されているか及び／又はプレパンチ紙か否かを判断し、さらにパンチ処理モードに設定されているか否かも併せて判断する。ここで、パンチ処理モードとはフィニッシャ１８に対しパンチ処理を指示する機能モードをいう。
【００８５】
そして、ステップＳ１７の答が否定（Ｎｏ）の場合は、通常の設定で出力する一方、その答が肯定（Ｙｅｓ）の場合であって、しかもプレパンチ紙にも拘わらずパンチ処理モードに指定されている場合は、例えば図１２に示すように、「プレパンチ紙なのでパンチ処理はされません。」という警告メッセージを操作部１４の液晶パネルに表示（警告表示）した後、ステップＳ１８に進み、画像を１８０度回転させると共にパンチ処理をすることなく画像データを出力し、処理を終了する。
【００８６】
すなわち、第１の実施の形態と同様、コーディック５６を使用して画像データを１８０度回転させる。そして、ＣＰＵ５２はパンチ穴を孔けずに出力することを認識しているので、画像形成処理部１９はパンチ穴を孔けることは指示せずに、したがって従来例（図１５参照）で述べたような余分なパンチ穴が形成されることもなく、図１３（ｂ）に示すように、所望の画像出力を得ることができる。
【００８７】
以上説明したように本第２の実施の形態では、プレパンチ紙は予めパンチ処理が施されているので、当該プレパンチ紙に対するパンチ処理等（ステープル処理も含む）のシート加工処理を実行することを禁止する（例えば、操作部上に表示される当該シート加工処理に該当する機能ボタンを無効状態にする。又、本形態の画像形成装置は、上述のようなシート加工処理を実行可能なシート処理装置（シート処理ユニット）に接続可能であるので（内蔵させてもよい）、例えば、パンチユニットの動作やステープラの動作を禁止する。）と共に、当該プレパンチ紙はパンチ穴により方向性のもったシートであるので、当該プレパンチ紙上におけるパンチ穴（つまり、綴じ位置）と入力画像の配置位置との関係が従来のような不適切なものにならないようにする為、上記プレパンチ紙に予め形成された当該綴じ位置の当該シート上における配置位置（シートの左側か、上側か、下側、右側か、）に基づいて、当該プレパンチ紙に形成すべき入力画像の像形成方向（画像の向き）を決定し、当該決定結果に応じた画像の回転処理を行い、回転処理後の画像をシート上に形成する（つまり、本形態では、１８０度の回転処理を施してからシート上に画像形成すれば、プレパンチ紙に予め形成されたパンチ穴の位置に応じた最適な向きで入力画像を形成できる）。
【００８８】
従って、操作部１４を介してユーザにより、本形態のような、例えば、１８０度回転モード等、シートに対する画像形成処理に先立ち、画像の回転処理を行うモードの実行指示が入力されようが、入力されまいが関係なく、画像形成すべきシートの種類がプレパンチ紙であることに応じて、当該プレパンチ紙に予め施されたパンチ穴の当該プレパンチ紙上における位置に応じた画像の回転処理を入力画像に対して自動的に実行し、回転処理済みの画像をシート上に形成するよう制御する。
【００８９】
尚、本実施の形態では、ＰＣ６等の外部装置から画像を出力し、当該画像をシート上に形成することが可能である。従って、ＰＣ等の外部装置のＣＲＴ上に表示される操作画面を介して、各給紙カセット毎のシートの種類の特定指示及び、１８０度回転モード等の画像回転モードの実行指示、ステイプル処理やパンチ処理等のシート加工処理を行うモードの実行指示をユーザにより入力可能に構成し、当該外部からのこれらの指示データにより、画像形成装置は、各種の設定を行うようにしても良い。このうような場合でも、上記外部装置からの画像を形成すべきシートの種類がプレパンチ紙であることに応じて、上記外部装置において、ユーザにより、シート加工処理を行うモードの実行する為の指示が入力されようが、入力されまいが関係なく、当該プレパンチ紙に対するシート加工処理を行うことを禁止すると共に、上記外部装置において、ユーザにより、上述の画像回転モードを実行ささせる為の指示が入力されようが入力されまいが関係なく、当該プレパンチ紙に予め施されたパンチ穴の当該プレパンチ紙上における位置に応じた画像の回転処理を入力画像に対して実行し、回転処理済みの画像をシート上に形成するよう制御する。
【００９０】
このように本第２の実施の形態では読込画像を１８０度回転させた状態で画像出力しているので、プレパンチ紙のような方向性をもった記録用紙上に画像データを出力する場合であっても、既にパンチ穴が孔いているプレパンチ紙に対し２重に穿孔されることもなく、画像データの方向とパンチ穴の位置とがユーザの意図に適合した形で出力され、所望の出力画像を得ることができる。
【００９１】
また、本形態で述べた処理（機能）を実現する為のプログラムは、ＲＯＭ５４にプログラムコードとして記憶されており、ＣＰＵ５２が該コードを読み出してその機能を実行するものとするが、本形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００９２】
この場合、記憶媒体から読出されたプログラムコード自体が前述した実施形態の機能を実現することになり、そのプログラムコードを記憶した記憶媒体は本発明を構成することになる。
【００９３】
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００９４】
又、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００９５】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００９６】
【図１】本発明に係る画像入出力装置の一実施の形態を示すブロック構成図である。
【図２】リーダ部の詳細を示す内部構成図である。
【図３】スキャナの信号処理系を示すブロック構成図である。
【図４】プリンタ部の詳細を示す内部構成図である。
【図５】コントローラ部の詳細を示すブロック構成図である。
【図６】メディアタイプ設定処理の処理手順を示すフローチャートである。
【図７】操作部の液晶パネルの表示例を示す図である。
【図８】印刷処理の処理手順を示すフローチャートである。
【図９】画像データの回転処理を説明するための説明図である。
【図１０】回転処理された画像データがプレプリント紙に出力される状態を示した説明図である。
【図１１】印刷処理の処理手順の他の実施の形態を示すフローチャートである。
【図１２】操作部の液晶パネルに表示される警告メッセージの一例を示す図である。
【図１３】回転処理された画像データがプレパンチ紙に出力される状態を示した説明図である。
【図１４】従来の問題点の一例を説明するための説明図である。
【図１５】従来の問題点の一例を説明するための説明図である。
【符号の説明】
【００９７】
１２  リーダ部（画像入力手段）
１３  プリンタ部（画像出力手段）
１４  操作部（用紙タイプ設定手段、穿孔指示手段）
１８  フィニッシャ部（穿孔処理手段）
５２  ＣＰＵ（判断手段、出力制御手段）
５５  ＳＤＲＡＭ（蓄積手段）
５６  コーディック（画像回転手段）
６４  スキャン画像処理回路（画像回転手段）
６５  プリント画像処理回路（画像回転手段）
【図１】
2007261278.tif 000003
【図２】
2007261278.tif 000004
【図３】
2007261278.tif 000005
【図４】
2007261278.tif 000006
【図５】
2007261278.tif 000007
【図６】
2007261278.tif 000008
【図７】
2007261278.tif 000009
【図８】
2007261278.tif 000010
【図９】
2007261278.tif 000011
【図１０】
2007261278.tif 000012
【図１１】
2007261278.tif 000013
【図１２】
2007261278.tif 000014
【図１３】
2007261278.tif 000015
【図１４】
2007261278.tif 000016
【図１５】
2007261278.tif 000017